(57)【要約】【課題】照明器具の種類に依らずに、口金の規格が同一の電球を使用することができるようにした口金径変換装置を提供する。【解決手段】「Ｅ１７」型電球口金が螺入されるメス型ソケット１と、「Ｅ２６」型電球口金と同一形状となされたオス型口金２と、メス型ソケット１の中心電極とオス型口金２の中心電極とを接続した第１の内部配線４と、メス型ソケット１の外周電極とオス型口金２の外周電極とを接続した第２の内部配線５とを備えた。【選択図】図１
2010140907.tif 000002
【特許請求の範囲】
【請求項１】
第１の径の電球口金が螺入される第１の径のメス型ソケットと、
前記第１の径よりも大径の第２の径の電球口金と同一形状となされ、前記メス型ソケットに同軸状に接合された第２の径のオス型口金と、
前記第１の径のメス型ソケットの中心電極と前記第２の径のオス型口金の中心電極とを接続した第１の内部配線と、
前記第１の径のメス型ソケットの外周電極と前記第２の径のオス型口金の外周電極とを接続した第２の内部配線と
を備えたことを特徴とする口金径変換装置。
【請求項２】
第１の径の電球口金と同一形状となされた第１の径のオス型口金と、
前記オス型口金に同軸状に接合され、前記第１の径よりも大径の第２の径の電球口金が螺入される第２の径のメス型ソケットと、
前記第１の径のオス型口金の中心電極と前記第２の径のメス型ソケットの中心電極とを接続した第１の内部配線と、
前記第１の径のオス型口金の外周電極と前記第２の径のメス型ソケットの外周電極とを接続した第２の内部配線と
を備えたことを特徴とする口金径変換装置。
【発明の詳細な説明】
【技術分野】
【０００１】
本発明は、電球、または、電球型照明（蛍光灯、または、ＬＥＤ）の口金径を変換する口金径変換装置に関する。
【背景技術】
【０００２】
従来、電球、または、電球型照明（蛍光灯、または、ＬＥＤ）（以下、蛍光灯、または、ＬＥＤも含めて「電球」と表記する。）の口金は、「Ｅ２６型」といわれるオス螺旋ネジが形成されたものが一般的であるが、近年、この「Ｅ２６型」よりも外径の細い「Ｅ１７型」の口金も使用されるようになっている。
【０００３】
特許文献１には、英国規格のランプシェードが装着固定可能で、かつ、「Ｅ１７型」電球が装着可能なランプソケットが提案されているが、「Ｅ１７型」電球及び「Ｅ２６型」電球の両方を使用することは想定されていない。
【先行技術文献】
【特許文献】
【０００４】
【特許文献１】特開２００６−３２３０６号公報
【発明の概要】
【発明が解決しようとする課題】
【０００５】
ところで、「Ｅ２６型」電球用の照明器具には、「Ｅ１７型」電球を装着することができず、逆に、「Ｅ１７型」電球用の照明器具には、「Ｅ２６型」電球を装着することができない。
【０００６】
このように、照明器具によって装着できる電球が異なることは、寿命による球切れや故障に備えて電球を予備しておく場合に、必要な数以上に余分に備えなければならないことになり、不便である。
【０００７】
そこで、本発明は、照明器具の種類に依らずに、口金の規格が同一の電球を使用することができる口金径変換装置を提供することを目的とする。
【課題を解決するための手段】
【０００８】
前述の課題を解決するため、本発明に係る口金径変換装置は、以下の構成を有するものである。
【０００９】
〔構成１〕
第１の径の電球口金が螺入される第１の径のメス型ソケットと、第１の径よりも大径の第２の径の電球口金と同一形状となされメス型ソケットに同軸状に接合された第２の径のオス型口金と、第１の径のメス型ソケットの中心電極と第２の径のオス型口金の中心電極とを接続した第１の内部配線と、第１の径のメス型ソケットの外周電極と第２の径のオス型口金の外周電極とを接続した第２の内部配線とを備えたことを特徴とするものである。
【００１０】
〔構成２〕
第１の径の電球口金と同一形状となされた第１の径のオス型口金と、オス型口金に同軸状に接合され第１の径よりも大径の第２の径の電球口金が螺入される第２の径のメス型ソケットと、第１の径のオス型口金の中心電極と第２の径のメス型ソケットの中心電極とを接続した第１の内部配線と、第１の径のオス型口金の外周電極と第２の径のメス型ソケットの外周電極とを接続した第２の内部配線とを備えたことを特徴とするものである。
【発明の効果】
【００１１】
構成１を有する本発明に係る口金径変換装置においては、第１の径のメス型ソケットに第１の径の電球口金が螺入され、第２の径のオス型口金が第２の径のオス型口金を有する電球用の照明器具に装着されるので、第２の径のオス型口金を有する電球用の照明器具において、第１の径の電球口金を有する電球を使用することができる。
【００１２】
構成２を有する本発明に係る口金径変換装置においては、第２の径のメス型ソケットに第２の径の電球口金が螺入され、第１の径のオス型口金が第１の径のオス型口金を有する電球用の照明器具に装着されるので、第１の径のオス型口金を有する電球用の照明器具において、第２の径の電球口金を有する電球を使用することができる。
【００１３】
すなわち、本発明は、照明器具の種類に依らずに、口金の規格が同一の電球を使用することができる口金径変換装置を提供することができるものである。
【図面の簡単な説明】
【００１４】
【図１】本発明に係る口金径変換装置の第１の実施の形態の構成を示す断面図である。
【図２】本発明に係る口金径変換装置の第２の実施の形態の構成を示す断面図である。
【発明を実施するための形態】
【００１５】
以下、本発明を実施するための形態について、図面を参照して詳細に説明する。
【００１６】
〔第１の実施の形態〕
図１は、本発明に係る口金径変換装置の第１の実施の形態の構成を示す断面図である。
【００１７】
本発明に係る口金径変換装置は、図１に示すように、第１の径の電球口金が螺入される第１の径のメス型ソケット１を有している。この実施の形態では、「第１の径」は、「Ｅ１７型」口金の径となっている。
【００１８】
そして、この口金径変換装置は、第１の径よりも大径の第２の径の電球口金と同一形状となされた第２の径のオス型口金２を有している。この実施の形態では、「第２の径」は、「Ｅ２６型」口金の径となっている。オス型口金２は、合成樹脂材料からなる本体ケース３により、メス型ソケット１に同軸状に接合されている。
【００１９】
そして、メス型ソケット１の中心電極とオス型口金２の中心電極とは、第１の内部配線４により接続されている。また、メス型ソケット１の外周電極とオス型口金２の外周電極とは、第２の内部配線５により接続されている。
【００２０】
この口金径変換装置においては、メス型ソケット１に「Ｅ１７型」口金を有する電球が装着され、オス型口金２は、「Ｅ２６型」口金を有する電球用の照明器具に装着される。したがって、「Ｅ２６型」口金を有する電球用の照明器具において、「Ｅ１７型」口金を有する電球を使用することができる。
【００２１】
〔第２の実施の形態〕
図２は、本発明に係る口金径変換装置の第２の実施の形態の構成を示す断面図である。
【００２２】
また、本発明に係る口金径変換装置は、図２に示すように、第１の径の電球口金と同一形状となされた第１の径のオス型口金６を有している。この実施の形態でも、「第１の径」は、「Ｅ１７型」口金の径となっている。
【００２３】
そして、この口金径変換装置は、第１の径よりも大径の第２の径の電球口金が螺入される第２の径のメス型ソケット７を有している。この実施の形態でも、「第２の径」は、「Ｅ２６型」口金の径となっている。メス型ソケット７は、合成樹脂材料からなる本体ケース３により、オス型口金６に同軸状に接合されている。
【００２４】
そして、オス型口金６の中心電極とメス型ソケット７の中心電極とは、第１の内部配線４により接続されている。また、オス型口金６の外周電極とメス型ソケット７の外周電極とは、第２の内部配線５により接続されている。
【００２５】
この口金径変換装置においては、オス型口金６が「Ｅ１７型」口金を有する電球用の照明器具に装着され、メス型ソケット７には、「Ｅ２６型」口金を有する電球が装着される。したがって、「Ｅ１７型」口金を有する電球用の照明器具において、「Ｅ２６型」口金を有する電球を使用することができる。
【産業上の利用可能性】
【００２６】
本発明は、電球、または、電球型照明（蛍光灯、または、ＬＥＤ）の口金径を変換する口金径変換装置に適用される。
【符号の説明】
【００２７】
１  第１の径のメス型ソケット
２  第２の径のオス型口金
３  本体ケース
４  第１の内部配線
５  第２の内部配線
６  第１の径のオス型口金
７  第２の径のメス型ソケット
【図１】
2010140907.tif 000003
【図２】
2010140907.tif 000004